(57)【特許請求の範囲】
【請求項１】
空気吹き出し口より吹き出される空気の風向を一個のダイヤルまたは操作ノブの操作により調整する複数の羽根を、前記空気吹き出し口に回動自在に設けた風向調整装置であって、前記複数の羽根を互いに平行させて回動することにより、前記空気吹き出し口より吹き出される平行風の風向を調整する通常操作域を有する通常モードと、前記空気吹き出し口より吹き出される空気を、前記各羽根により拡散または集中させる風向特性操作域を有する風向特性モードと、前記一個のダイヤルまたは操作ノブを同一方向に操作させることにより前記通常操作域を越えて前記風向特性操作域へ操作することにより、前記通常モード及び前記風向特性モードを連続して選択自在なモード選択手段とを具備して構成し、前記モード選択手段を、前記１個の操作ダイアルまたは操作ノブの操作により回転される中間ギアと、前記中間ギアに形成されたカム溝に係合された前後動自在なスライドリンクとから構成し、かつ前記操作ダイアルまたは操作ノブにより前記中間ギアを介して前記スライドリンクを、前記通常操作域を越えて前記風向特性操作域へ操作することにより、前記通常モード及び前記風向特性モードを連続して選択自在にすることを特徴とする風向調整装置。
【請求項２】
前記通常操作域の前後に前記風向特性操作域を設けてなる請求項１に記載の風向調整装置。
【請求項３】
前記操作ダイアルまたは操作ノブの一部を、前記ケースの開口部に取り付けられたフィニッシャの前面に突出させると共に、前記スライドリンクに形成したガイド孔に、前記各羽根より突設した連結ピンを嵌合することにより、前記スライドリンクと前記各羽根を連動させてなる請求項１または２に記載の風向調整装置。
【発明の詳細な説明】
【０００１】
【発明の属する技術分野】
本発明は空気吹き出し口より吹き出される空気の風向を調整する風向調整装置に関する。
【０００２】
【従来の技術】
従来この種の風向調整装置として、例えば特許第２８４０３８２号公報に記載されたものが公知である。
【０００３】
前記公報の風向調整装置は、互いに平行する複数のルーバが回動自在に設けられた空気吹き出し口に対し、前後方向に移動自在な支持体と、この支持体に支承され、かつ支持体と直交する方向へ移動自在なリンクとを有していて、リンクに設けられたガイド溝に、ルーバより突設された連動軸が係合されている。
【０００４】
そして中央のルーバに設けられたノブを左右方向へ操作すると、空気吹き出し口より吹き出される平行風を左右方向へ風向調整が行え、ノブを上下に操作すると、支持体が前後に移動されて、リンクに形成されたガイド溝により連動軸の位置が調整され、これによって空気吹き出し口より吹き出される空気を集中させたり、拡散させる風向調整が行えるように構成されている。
【０００５】
【発明が解決しようとする課題】
しかし前記公報の風向調整装置では、空気吹き出し口より吹き出される平行風を左右方向へ調整する通常モードの風向調整と、空気を集中及び拡散させる風向特性モードの風向調整を別々の操作手段で行わなければないため、操作が煩雑である上、操作手段の構造が複雑になるため、風向調整装置が高価になるなどの問題がある。
【０００６】
またルーバによって空気吹き出し口を全閉することができないため、空気の吹き出しを完全に遮断することができないと共に、風向調整装置を使用しないときでも空気吹き出し口が外部へ露出するため、体裁が悪いなどの問題もある。
【０００７】
本発明はかかる従来の問題点を改善するためになされたもので、平行風の風向を調整する通常モードと、空気を集中または拡散させる風向特性モードの選択が単一の操作手段で、しかも連続的に行える風向調整装置を提供して、操作性の向上などを図ることを目的とするものである。
【０００８】
前記目的を達成するため本発明に係る風向調整装置は、空気吹き出し口より吹き出される空気の風向を一個のダイヤルまたは操作ノブの操作により調整する複数の羽根を、空気吹き出し口に回動自在に設けた風向調整装置であって、複数の羽根を互いに平行させて回動することにより、空気吹き出し口より吹き出される平行風の風向を調整する通常操作域を有する通常モードと、空気吹き出し口より吹き出される空気を、各羽根により拡散または集中させる風向特性操作域を有する風向特性モードと、一個のダイヤルまたは操作ノブを同一方向に操作させることにより通常操作域を越えて風向特性操作域へ操作することにより、通常モード及び風向特性モードを連続して選択自在なモード選択手段とを具備して構成し、モード選択手段を、１個の操作ダイアルまたは操作ノブの操作により回転される中間ギアと、中間ギアに形成されたカム溝に係合された前後動自在なスライドリンクとから構成し、かつ操作ダイアルまたは操作ノブにより中間ギアを介してスライドリンクを、通常操作域を越えて風向特性操作域へ操作することにより、通常モード及び風向特性モードを連続して選択自在にすることを特徴とするものである。
【０００９】
前記構成により、モード選択手段により通常操作域を越えて風向特性域へ操作することにより、空気吹き出し口より吹き出される平行風の風向を調整する通常モードと、空気吹き出し口より吹き出される空気を拡散させて乗員に吹き出したり、集中させて吹き出す風向特性モードの選択が容易かつ連続的に行えるため、従来の別の操作手段により通常モード及び前記風向特性モードを別個に選択していたものに比べて操作性が格段に向上する。また、前記構成により、１個の操作ダイアルで通常モード及び風向特性モードが連続的に選択できるため、従来の別の操作手段により選択していたものに比べて操作性が格段に向上すると共に、操作ダイアルの回転をギアによりスライドリンクに伝達する構成のため、モード選択手段の動作がスムーズとなり、これによって通常モード及び風向特性モードの選択が小さな操作力で容易に行える。
【００１０】
前記目的を達成するため本発明の風向調整装置は、通常操作域の前後に風向特性操作域を設けたものである。
【００１１】
前記構成により、通常操作域の前後で風向特性操作域による風向調整が連続的に行えるため、操作性がさらに向上する。
【００１４】
またモード選択手段を少ない部品点数で構成できるため、組立て時の作業性がよい上、コンパクトに構成できることから、風向調整装置の小型化が図れるようになる。
【００１５】
前記目的を達成するため本発明の風向調整装置は、操作ダイアルまたは操作ノブの一部を、ケースの開口部に取り付けられたフィニッシャの前面に突出させると共に、スライドリンクに形成したガイド孔に、各羽根より突設した連結ピンを嵌合することにより、スライドリンクと各羽根を連動させたものである。
【００１６】
前記構成により、操作ダイアルまたは操作ノブを指で回転させ、または押圧することにより、通常モードと風向特性モードの選択が連続的に行えるため、操作性が大変よい。
【００１７】
【発明の実施の形態】
本発明の実施の形態を図面を参照して詳述する。
【００１８】
図１は風向調整装置の全体的な斜視図、図２は分解斜視図、図３は縦断面図、図４ないし図７は作用説明図である。
【００１９】
風向調整装置の本体１は、前面に開口部２ａが開口された角筒状のケース２を有しており、図示しないインストルメントパネルの例えば上部に開口された空気吹き出し口の内側に、開口部２ａを車両後方（乗員側）に向けて取付けられるようになっている。
【００２０】
ケース２の開口部２ａには、複数枚の羽根３が上下方向に間隔を存して水平方向に設けられており、各羽根３の一端側に突設された軸ピン３ａは、ケース２の一方の側板２ｂに形成されたピン孔２ｃに回動自在に嵌合されている。
【００２１】
各羽根３の他端側には、軸ピン３ａと連結ピン３ｂが突設されていて、軸ピン３ａは他方の側板２ｂの開口縁に沿って設けられたスペーサ４のピン孔４ａに回動自在に嵌合されており、ケース２の開口部２ａにはフィニッシャ８が取り付けられている。
【００２２】
フィニッシャ８は、上下方向に湾曲する板体により形成されていて、各羽根３の前側に開口部８ａが開口されており、開口部８ａの側方には、後述する操作ダイアル６ｄの操作部６ｐが突出する長孔８ｂが形成されていると共に、フィニッシャ８の両側には、ケース２の一方の外側面と、カバー７の外側面に突設された係止爪７ａにそれぞれ先端部が係合する係止片８ｃが後方へ向けて突設されている。
【００２３】
スペーサ４は、ケース２の開口縁２ｄに嵌着されていて、各ピン孔４ａの近傍に、ピン孔４ａを中心とする円弧状の長孔４ｂが形成されており、各羽根３の他端に突設された連結ピン３ｂは、これら長孔４ｂを貫通して、スペーサ４の外側面に設けられたスライドリンク５の各ガイド孔５ａに嵌合されている。
【００２４】
各ガイド孔５ａはスライドリンク５の中間部に位置するガイド孔５ａがほぼ水平に、また中間部より上方に位置するガイド孔５ａの先端部は上向きに、そして中間部より下方に位置するガイド孔５ａの先端部は下向きに傾斜されていると共に、スライドリンク５の上部及び下部には、先端側が二股に分岐された分岐部５ｂ，５ｃよりなる突出部５ｄが後方へ突出されていて、これら突出部５ｄの内、上側の分岐部５ｂの先端にピン５ｅが、また下側の分岐部５ｃの先端にピン５ｆが突設されている。
【００２５】
そしてこれらピン５ｅ，５ｆは、モード選択手段６を構成する一対の中間ギア６ａにそれぞれ形成されたカム溝６ｂに嵌合されている。
【００２６】
モード選択手段６は、空気吹き出し口より吹き出される平行風の風向を調整する通常モードと、空気吹き出し口より吹き出される空気を集中または拡散させる風向特性モードとを選択するもので、ケース２の他方の側板２ｂと間隔を存して平行するよう設けられたカバー７内に、前記中間ギア６ａと、これら中間ギア６ａに同時に噛合するピニオン６ｃを有する操作ダイアル６ｄが収容されている。
【００２７】
中間ギア６ａは、カム溝６ｂが形成された面がスライドリンク５より突設された各突出部５ｄの側面に対向するよう設けられていて、回転に伴いスライドリンク５を前後動するカム溝６ｂは図３に示すように、中間ギア６の中心を挟んで対向する円弧状部６ｆと、各円弧状部６ｆの前端を中心方向へ屈曲させることにより形成された屈曲部６ｇと、各円弧状部６ｆの後端を合流させることにより形成されたほぼ台形状の合流部６ｈとから構成されている。
【００２８】
また中間ギア６及び操作ダイアル６ｄは図２及び図３に示すように、中心部に形成された軸孔６j，６ｋがケース２の外側面に突設された支軸２ｇ，２ｈに回転自在に支承され、中間ギア６及び操作ダイアル６ｄの一方の側面に突設されたボス部６ｍ，６ｎがカバー７に形成された円孔７ｂ，７ｃに回転自在に嵌合されていると共に、操作ダイアル６ｄの前側の外周部は操作部６ｐとなっていて、この操作部６ｐはフィニッシャ８に形成された長孔８ｂよりフィニッシャ８の前面に突出されており、操作部６ｐの外周面には操作位置を示す目印６ｑが、凹溝及び三角印により形成されている。
【００２９】
なお２ｊ，２ｋは、ケース２の一方の側板２ｂより突設されたガイドリブで、中間ギア６及び操作ダイアル６ｄが円滑に回転するようガイドしている。
【００３０】
次に前記構成された風向調整装置の作用を説明する。
【００３１】
通常モードで使用する場合は、モード選択手段６の操作ダイアル６ｄに設けられた目印６ｇの凹溝を長孔８ｂのほぼ中央にすることにより、図３に示すように通常モードを選択する。
【００３２】
これによってスライドリンク５は、前後進端のほぼ中間である通常操作域にあって、スライドリンク５の分岐部５ｂ，５ｃ先端に突出されたピン５ｅ，５ｆは、カム溝６ｂの円弧状部６ｆに位置しており、また各羽根３は水平状態に保持されているため、空気吹き出し口より吹き出される空気は、羽根３により水平方向の平行風に風向調整される。
【００３３】
またこの状態から、空気の吹き出し方向を例えば下方へ風向調整する場合は、操作ダイアル６ｄの操作部６ｐを下方向へ回動する。
【００３４】
これによってスライドリンク５が、図４に示すように通常操作域の前進端へと移動されるため、連結ピン３ｂを介してスライドリンク５に接続された各羽根３が軸ピン３ａを中心に時計回り方向へ回動されて、空気吹き出し口より吹き出される空気は下方向の平行風に風向調整されると共に、このとき分岐部５ｂ，５ｃ先端に突出されたピン５ｅ，５ｆは、まだカム溝６ｂの円弧状部６ｆに位置している。
【００３５】
さらに空気吹き出し口より吹き出される空気を拡散させて乗員に吹き出させる場合は、操作ダイアル６ｄの操作部６ｐをさらに下方向に回動して、風向特性モードを選択する。
【００３６】
これによって操作ダイアル６ｄに設けられたピニオン６ｃが、中間ギア６ａをさらに反時計回り方向へ回転させるため、スライドリンク５の上側の分岐部５ｂに突設されたピン５ｅが、中間ギア６ａに形成されたカム溝６ｂの屈曲部６ｇに達し、下側の分岐部５ｃに突設されたピン５ｆがカム溝６ｂの合流部６ｈに達して、スライドリンク５を通常操作域を越えて風向特性操作域まで図５に示すように後進させるため、スライドリンク５のガイド孔５ａにより中間位置の羽根３は水平位置に保持され、中間位置より上側の羽根３は反時計回り方向へ回動されて上向きになると共に、中間位置より下側の羽根３は時計回り方向へ回動されて下向きとなるため、空気吹き出し口より吹き出される空気は、各羽根３により拡散されて乗員へ吹き出されるようになる。
【００３７】
一方図３に示す通常モードの状態から、空気の吹き出し方向を例えば上方へ風向調整する場合は、操作ダイアル６ｄの操作部６ｐを上方向へ回動する。
【００３８】
これによってスライドリンク５が、図６に示すように通常操作域の前進端へと移動されるため、連結ピン３ｂを介してスライドリンク５に接続された各羽根３が軸ピン３ａを中心に反時計回り方向へ回動されて、空気吹き出し口より吹き出される空気は上方向の平行風に風向調整されると共に、このとき分岐部５ｂ，５ｃ先端に突出されたピン５ｅ，５ｆは、まだカム溝６ｂの円弧状部６ｆに位置している。
【００３９】
さらに空気吹き出し口より吹き出される空気を拡散させて乗員に吹き出させる場合は、操作ダイアル６ｄの操作部６ｐをさらに上方向に回動して、風向特性モードを選択する。
【００４０】
これによって操作ダイアル６ｄに設けられたピニオン６ｃが、中間ギア６ａをさらに時計回り方向へ回転させるため、スライドリンク５の上側の分岐部５ｂに突設されたピン５ｅが、中間ギア６ａに形成されたカム溝６ｂの合流部６ｈに達し、下側の分岐部５ｃに突設されたピン５ｆがカム溝６ｂの屈曲部６ｇに達して、スライドリンク５を通常操作域を越えて風向特性操作域まで図７に示すように後進させるため、スライドリンク５のガイド孔５ａにより中間位置の羽根３は水平位置に保持され、中間位置より上側の羽根３は反時計回り方向へ回動されて上向きになると共に、中間位置より下側の羽根３は時計回り方向へ回動されて下向きとなるため、空気吹き出し口より吹き出される空気は、各羽根３により拡散されて乗員へ吹き出されるようになる。
【００４１】
なお前記実施の形態では、モード選択手段６により風向特性モードを選択すると、空気吹き出し口より吹き出される空気が拡散されるようにした場合について説明したが、スライドリンク５に形成されたガイド孔５ａの向きを、スライドリンク５の中間部に位置するガイド孔５ａがほぼ水平に、また中間部より上方に位置するガイド孔５ａがほぼ逆ヘ字形に、そして中間部より下方に位置するガイド孔５ａがほぼヘ字形になるよう形成することにより、風向特性モードを選択した場合、空気吹き出し口より吹き出される空気を乗員方向へ集中させることができるようになる。
【００４２】
一方図８ないし図１７は、風向調整装置の変形例を示すもので、次にこれら変形例について説明する。
【００４３】
なお前記実施の形態と同一部分は同一符号を付して、その説明は省略する。
【００４４】
図８ないし図１３は、各中間ギア６ａに形成されたカム溝６ｂの形状を変えたもので、図８ないし図１１に示す変形例では、スライドリンク５の上側の分岐部５ｂに突設されたピン５ｅが嵌入するカム溝６ｂを、円弧状部６ｆと直線部６ｒよりなるほぼへ字形に、そして下側の分岐部５ｂ，５ｃに突設されたピン５ｆが嵌入するカム溝６ｂを、円弧状部６ｆと屈曲部６ｇより形成しており、図１２及び図１３に示す変形例では、スライドリンク５の上下の分岐部５ｂ，５ｃに突設されたピン５ｅ，５ｆが嵌入するカム溝６ｂを、円弧状部６ｆと直線部６ｒよりなるほぼへ字形に形成して、各円弧状部６ｆの前端部を合流部６ｈにより互いに連設した形状となっており、何れの変形例の場合も通常モード及び風向特性モードにおける作用は、前記実施の形態と同様なので説明は省略する。
【００４５】
また図１４ないし図１７に示す変形例は、モード選択手段６をプッシュ式にしたもので、何れも操作ダイアル６ｄの代わりに操作ノブ６ｓを使用している。
【００４６】
そして図１４及び図１５に示す変形例では、前後動自在に支承された操作ノブ６ｓに上下方向に長孔６ｔを形成して、これら長孔６ｔに中間ギア６ａより突設したピン６ｕを嵌挿した構成で、図１４に示す風向特性モードから操作ノブ６ｓを押圧すると、各中間ギア６ａが時計回り方向へ回転されて、図１５に示すようにスライドリンク５が風向特性操作域より通常操作域へと前進されるため、空気吹き出し口より吹き出される平行風が水平方向を経て下向きに調整できるようになる。
【００４７】
図１６及び図１７に示す変形例では、前後動自在に支承された操作ノブ６ｓの上下縁にラック６ｖを形成して、これらラック６ｖに各中間ギア６ａに形成したピニオン６ｘを噛合させたもので、図１６に示す風向特性モードから操作ノブ６ｓを押圧すると、各中間ギア６ａが時計回り方向へ回転されて、図１７に示すようにスライドリンク５が風向特性操作域より通常操作域へと前進されるため、空気吹き出し口より吹き出される平行風が水平方向を経て下向きに調整できるようになる。
【００４８】
なお図１４ないし図１７に示す変形例では、何れも操作ノブ６ｓを前後方向へ操作するようにしたが、操作ノブ６ｓを上下方へ操作することにより、通常モードと風向特性モードを選択するようにしてもよい。
【００４９】
また前記実施の形態及び変形例では、風向特性モードを選択した場合、羽根３の中間部より上側が上方へ、そして下側が下方へ回動するようにしたが、風向特性操作域を通常操作域の片側にのみ設けて、通常操作域で羽根３を上方向へ回動したときに、通常操作域に連続して風向特性操作域へ操作できるようにすることにより、例えばインストルメントパネルの上側方向のみを風向調整モードとしてもよく、この場合インストルメントパネルの下側方向は、各羽根３がフィニッシャ８の開口８ａに沿うようにして、視覚的に開口部８ａの下半分を全閉するようにしてもよい。
【００５０】
【発明の効果】
本発明は以上詳述したように、空気吹き出し口より吹き出される平行風の風向を調整する通常操作域を有する通常モードと、空気吹き出し口より吹き出される空気を、各羽根により拡散または集中させる風向特性操作域を有する風向特性モードと、通常操作域を越えて風向特性操作域へ操作することにより、通常モード及び前記風向特性モードを連続して選択自在なモード選択手段とより構成したことから、モード選択手段により通常操作域を越えて風向特性域へ操作することにより、空気吹き出し口より吹き出される平行風の風向を調整する通常モードと、空気吹き出し口より吹き出される空気を拡散させて乗員に吹き出したり、集中させて吹き出す風向特性モードの選択が容易かつ連続的に行えるため、従来の別の操作手段により通常モード及び前記風向特性モードを別個に選択していたものに比べて操作性が格段に向上する。
【００５１】
また通常操作域の前後に風向特性操作域を設けたことから、通常操作域の前後で風向特性操作域による風向調整が連続的に行えるため、操作性がさらに向上すると共に、モード選択手段を、１個の操作ダイアルまたは操作ノブと、操作ダイアルまたは操作ノブにより回転される中間ギアと、中間ギアに形成されたカム溝に係合された前後動自在なスライドリンクとから構成し、かつ操作ダイアルまたは操作ノブにより中間ギアを介してスライドリンクを通常操作域を越えて風向特性操作域へ操作することにより、通常モード及び前記風向特性モードを連続して選択自在としたことから、１個の操作ダイアルまたは操作ノブで通常モード及び風向特性モードが連続的に選択できるため、従来の別の操作手段により選択していたものに比べて操作性が格段に向上すると共に、操作ダイアルまたは操作ノブによりギアを回転させて操作力をスライドリンクへ伝達するようにしたことから、モード選択手段の動作がスムーズとなり、これによって通常モード及び風向特性モードの選択が小さな操作力で容易に行える。
【００５２】
しかもモード選択手段を少ない部品点数で構成できるため、組立て時の作業性がよい上、コンパクトに構成できることから、風向調整装置の小型化が図れると共に、操作ダイアルまたは操作ノブの一部を、ケースの開口部に取り付けられたフィニッシャの前面に突出させ、かつスライドリンクに形成したガイド孔に、各羽根より突設した連結ピンを嵌合することにより、スライドリンクと各羽根を連動させたことから、操作ダイアルを指で回転させ、または操作ノブを指で押圧することにより、通常モードと風向特性モードの選択が連続的に行えるため、操作性も大変よい。
【図面の簡単な説明】
【図１】本発明の実施の形態になる風向調整装置の斜視図である。
【図２】本発明の実施の形態になる風向調整装置の分解斜視図である。
【図３】本発明の実施の形態になる風向調整装置の断面図である。
【図４】本発明の実施の形態になる風向調整装置の作用説明図である。
【図５】本発明の実施の形態になる風向調整装置の作用説明図である。
【図６】本発明の実施の形態になる風向調整装置の作用説明図である。
【図７】本発明の実施の形態になる風向調整装置の作用説明図である。
【図８】本発明の実施の形態になる風向調整装置の変形例を示す断面図である。
【図９】本発明の実施の形態になる風向調整装置の変形例を示す断面図である。
【図１０】本発明の実施の形態になる風向調整装置の変形例を示す断面図である。
【図１１】本発明の実施の形態になる風向調整装置の変形例を示す断面図である。
【図１２】本発明の実施の形態になる風向調整装置の変形例を示す断面図である。
【図１３】本発明の実施の形態になる風向調整装置の変形例を示す断面図である。
【図１４】本発明の実施の形態になる風向調整装置の変形例を示す断面図である。
【図１５】本発明の実施の形態になる風向調整装置の変形例を示す断面図である。
【図１６】本発明の実施の形態になる風向調整装置の変形例を示す断面図である。
【図１７】本発明の実施の形態になる風向調整装置の変形例を示す断面図である。
【符号の説明】
２      ケース
２ａ    開口部
３      羽根
３ｂ    連結ピン
５      スライドリンク
５ａ    ガイド孔
６      モード選択手段
６ａ    中間ギア
６ｂ    カム溝
６ｄ    操作ダイアル
６ｐ    操作部
６ｓ    操作ノブ
８      フィニッシャ
【図１】
0004744038.tif 000002
【図２】
0004744038.tif 000003
【図３】
0004744038.tif 000004
【図４】
0004744038.tif 000005
【図５】
0004744038.tif 000006
【図６】
0004744038.tif 000007
【図７】
0004744038.tif 000008
【図８】
0004744038.tif 000009
【図９】
0004744038.tif 000010
【図１０】
0004744038.tif 000011
【図１１】
0004744038.tif 000012
【図１２】
0004744038.tif 000013
【図１３】
0004744038.tif 000014
【図１４】
0004744038.tif 000015
【図１５】
0004744038.tif 000016
【図１６】
0004744038.tif 000017
【図１７】
0004744038.tif 000018